(57)【特許請求の範囲】
【請求項１】
アンテナからの放送信号を復調しストリームを得るデジタルチューナ部と、ＴＳ多重されたストリームを分配するデマルチプレクサ部と、これより信号を受けるＭＰＥＧ音声デコーダ部と、ＭＰＥＧ映像デコーダ部と、グラフィック表示部と、これらを制御するマイクロプロセッサ部とを有するデジタル放送受信機において、
上記デジタルチューナ部より出力されたＴＳの流れを、上記デコーダ部にいたる経路か記録にいたる経路かに切り替えるＴＳストリーム切替えスイッチ部と、番組情報削除部と、番組情報選別部と、番組情報付加部と、ＨＤＤ記録装置と、このＨＤＤ記録装置へデータ書き込みを行うと共に、１倍以上の速度でデータ読み出しを行うＨＤＤ記録再生処理部とを備え、
上記番組情報削除部で番組情報が削除されたストリームデータを、記録時に上記ＨＤＤ記録再生処理部により上記ＨＤＤ記録装置に記録し、再生時にストリームデータのパケットを１倍以上の速度で読み出し、読み出したストリームのパケット間隙又は空パケットに現在実時間で放送されている番組情報を上記番組情報選別部で取り出し、上記番組情報付加部で付加するようにしたデジタル放送受信機。
【請求項２】
ＨＤＤ記録再生処理部は、ＨＤＤ記録装置へデータ書き込みを行うと共に、２倍以上の速度でデータ読み出しを行うものであり、
番組情報削除部で番組情報が削除されたストリームデータを、記録時に上記ＨＤＤ記録再生処理部により上記ＨＤＤ記録装置に記録し、再生時にストリームデータのパケットを２倍以上の速度で間欠的に読み出し、読み出したストリームのパケット間隙又は空パケットに現在実時間で放送されている番組情報を番組情報選別部で取り出し、番組情報付加部で時間圧縮して付加するようにした請求項１記載のデジタル放送受信機。
【請求項３】
ＨＤＤ記録再生処理部には、２倍以上の速度でデータ読み出しを行う可変速再生部を有する請求項２記載のデジタル放送受信機。
【請求項４】
ＨＤＤ記録再生処理部には、２倍の速度でデータ読み出しを行う倍速再生部を有し、番組情報削除部で番組情報のパケットが削除されたストリームデータを、記録時に上記ＨＤＤ記録再生処理部によりＨＤＤ記録装置に記録し、再生時に上記倍速再生部でストリームデータのパケットを２倍の速度で間欠的に読み出し、読み出したストリームのパケット間隙又は空パケットに現在実時間で放送されている番組情報を番組情報選別部で取り出し、番組情報付加部で時間圧縮して付加するように順に実行させる番組記録再生処理シーケンス決定手段を備える請求項２記載のデジタル放送受信機。
【請求項５】
アンテナからの放送信号を復調しストリームを得るデジタルチューナ部と、ＴＳ多重されたストリームを分配するデマルチプレクサ部と、これより信号を受けるＭＰＥＧ音声デコーダ部と、ＭＰＥＧ映像デコーダ部と、グラフィック表示部と、これらを制御するマイクロプロセッサ部とを有するデジタル放送受信機において、
上記デジタルチューナ部より出力されたＴＳの流れを、上記デコーダ部にいたる経路か記録にいたる経路かに切り替えるＴＳストリーム切替えスイッチ部と、番組情報無効マーク付加部と、番組情報選別部と、番組情報付加部と、ＨＤＤ記録装置と、このＨＤＤ記録装置へデータ書き込みを行うと共に、２倍以上の速度でデータ読み出しを行うＨＤＤ記録再生処理部とを備え、
上記番組情報無効マーク付加部で番組情報のパケットにデータの無効を示すマークを付加したストリームデータを、記録時に上記ＨＤＤ記録再生処理部により上記ＨＤＤ記録装置に記録し、再生時にストリームデータのパケットを２倍以上の速度で間欠的に読み出し、読み出したストリームのパケット間隙又は空パケットに、現在実時間で放送されている番組情報を上記番組情報選別部で取り出し、上記番組情報付加部で時間圧縮して付加するようにしたデジタル放送受信機。
【発明の詳細な説明】
【０００１】
【発明の属する技術分野】
本発明はデジタル放送受信機に関し、特にデジタル情報の蓄積機能を持つデジタル放送受信機に関する。
【０００２】
【従来の技術】
図１０は特開平９−２４７６０３号公報に見られる従来のデジタル放送受信システムの構成を示すブロック図である。このシステムは、受信復調部１０１、パケットフィルタ１０２、ＣＰＵ１０３、情報テーブル抽出器１０４、ユーザインタフェース部１０５、切換スイッチ１０６、ＤＥＭＵＸ（デマルチプレクサ）１０７、ＡＶデコーダ１０８を有し、モニタ１０９が接続される。また、パケットフィルタ１０２から得られる情報テーブルを書換える情報テーブル書換器１１０、記録再生用情報テーブルを生成する記録再生用情報テーブル生成器１１１、情報テーブル解析器１１２、記録再生装置１１３を有している。
【０００３】
以下にこのデジタル放送受信システムの動作を示す。システムはまず受信したデジタル放送信号を受信復調部１０１により復調する。情報テーブル抽出器１０４は、ＭＰＥＧ２システムに準じて、デジタル放送信号中に多重化されて伝送されてくるネットワークに関する情報テーブルＮＩＴ（  Network Information Table ）、及び各チャンネル各番組に関する情報テーブル、即ち送信された番組全体の情報ＰＡＴ（Program Association Table ）、各番組毎のパケット構成等に関する情報ＰＭＴ(Program Mapping Table) 、各番組の詳細な情報ＥＩＴ(Event Information Table）を、デジタル放送信号中から抽出する。
【０００４】
ユーザがユーザインタフェース部１０５を通じて記録したい番組を選択すると、ＣＰＵ１０３はテーブル情報によって記録する番組のパケットをパケットフィルタ１０２に指定する。パケットフィルタ１０２は指定のパケットを選択して出力する。又ＣＰＵ１０３は、情報テーブル抽出器１０４によって抽出された各情報テーブル中の情報のうち、特にＰＭＴあるいはＥＩＴの中の記述子から記録するデジタル放送信号の番組関連情報を抽出する。
【０００５】
記録再生用情報テーブル生成器１１１は、ＣＰＵ１０３によって抽出された記述子、情報をＭＰＥＧ２トランスポートパケット形式で且つ所定のＭＰＥＧ２のテーブルＩＤをもつテーブル形式で記録再生用情報テーブルを生成する。情報テーブル書換器１１０は抽出した情報テーブルのうち、ＮＩＴを生成した記録再生用情報テーブルによって置き換える。又ＰＡＴ、ＰＭＴをパケットフィルタにより選択した番組、パケットに関する情報のみが記載されるように書き換える。こうして生成された記録再生用情報テーブルは、デジタル放送信号と共に記録再生装置１１３に送出され記録される。
【０００６】
一方再生時には、記録再生装置１１３は記憶媒体からの再生信号を出力する。出力されたデジタルテレビジョン信号から、情報テーブル解析器１１２は記録再生用情報テーブルをはじめとする情報テーブルを抽出する。ＣＰＵ１０３は、情報テーブルの中から、受信したデジタル放送信号の番組のビットレート、放送開始日時、放送の時間長、番組の名前、再生するチャンネル名を抽出する。又切換スイッチ１０６を記録再生装置１１３側に切換える。又ＣＰＵ１０３は抽出した情報、特に各ストリームの種別に基づき、受信したテレビジョン信号をＤＥＭＵＸ１０７により分離し、ＡＶデコーダ１０８に送り復号再生する。
【０００７】
【発明が解決しようとする課題】
しかしながら、このような従来の構成では、現在放送されているＥＩＴをはじめとする番組情報を記録媒体からの再生時にデマルチプレクサに入力することができず、再生時には放送中の番組情報を実時間で取得できない欠点があった。
【０００８】
本発明はかかる点に鑑み、媒体からの再生状態においても、現在放送中のデジタル放送信号の番組情報を取得することができ、媒体からの再生状態から現在放送中の任意の番組への切り替えが容易に出来るデジタル放送受信機を得ることを目的とする。
【０００９】
【課題を解決するための手段】
本発明では、アンテナからの放送信号を復調しストリームを得るデジタルチューナ部と、ＴＳ多重されたストリームを分配するデマルチプレクサ部と、これより信号を受けるＭＰＥＧ音声デコーダ部と、ＭＰＥＧ映像デコーダ部と、グラフィック表示部と、これらを制御するマイクロプロセッサ部とを有するデジタル放送受信機において、上記デジタルチューナ部より出力されたＴＳの流れを、上記デコーダ部にいたる経路か記録にいたる経路かに切り替えるＴＳストリーム切替えスイッチ部と、番組情報削除部と、番組情報選別部と、番組情報付加部と、ＨＤＤ記録装置と、このＨＤＤ記録装置へデータ書き込みを行うと共に、１倍以上の速度でデータ読み出しを行うＨＤＤ記録再生処理部とを備え、上記番組情報削除部で番組情報が削除されたストリームデータを、記録時に上記ＨＤＤ記録再生処理部により上記ＨＤＤ記録装置に記録し、再生時にストリームデータのパケットを１倍以上の速度で読み出し、読み出したストリームのパケット間隙又は空パケットに現在実時間で放送されている番組情報を上記番組情報選別部で取り出し、上記番組情報付加部で付加するようにしたものである。
【００１０】
本発明において、ＨＤＤ記録再生処理部は、ＨＤＤ記録装置へデータ書き込みを行うと共に、２倍以上の速度でデータ読み出しを行うものであり、番組情報削除部で番組情報が削除されたストリームデータを、記録時に上記ＨＤＤ記録再生処理部により上記ＨＤＤ記録装置に記録し、再生時にストリームデータのパケットを２倍以上の速度で間欠的に読み出し、読み出したストリームのパケット間隙又は空パケットに現在実時間で放送されている番組情報を番組情報選別部で取り出し、番組情報付加部で時間圧縮して付加するようにしたものである。
【００１１】
本発明において、ＨＤＤ記録再生処理部には、２倍以上の速度でデータ読み出しを行う可変速再生部を有するものである。
【００１２】
本発明において、ＨＤＤ記録再生処理部には、２倍の速度でデータ読み出しを行う倍速再生部を有し、番組情報削除部で番組情報のパケットが削除されたストリームデータを、記録時に上記ＨＤＤ記録再生処理部によりＨＤＤ記録装置に記録し、再生時に上記倍速再生部でストリームデータのパケットを２倍の速度で間欠的に読み出し、読み出したストリームのパケット間隙又は空パケットに現在実時間で放送されている番組情報を番組情報選別部で取り出し、番組情報付加部で時間圧縮して付加するように順に実行させる番組記録再生処理シーケンス決定手段を備えるものである。
【００１３】
本発明では、アンテナからの放送信号を復調しストリームを得るデジタルチューナ部と、ＴＳ多重されたストリームを分配するデマルチプレクサ部と、これより信号を受けるＭＰＥＧ音声デコーダ部と、ＭＰＥＧ映像デコーダ部と、グラフィック表示部と、これらを制御するマイクロプロセッサ部とを有するデジタル放送受信機において、上記デジタルチューナ部より出力されたＴＳの流れを、上記デコーダ部にいたる経路か記録にいたる経路かに切り替えるＴＳストリーム切替えスイッチ部と、番組情報無効マーク付加部と、番組情報選別部と、番組情報付加部と、ＨＤＤ記録装置と、このＨＤＤ記録装置へデータ書き込みを行うと共に、２倍以上の速度でデータ読み出しを行うＨＤＤ記録再生処理部とを備え、上記番組情報無効マーク付加部で番組情報のパケットにデータの無効を示すマークを付加したストリームデータを、記録時に上記ＨＤＤ記録再生処理部により上記ＨＤＤ記録装置に記録し、再生時にストリームデータのパケットを２倍以上の速度で間欠的に読み出し、読み出したストリームのパケット間隙又は空パケットに、現在実時間で放送されている番組情報を上記番組情報選別部で取り出し、上記番組情報付加部で時間圧縮して付加するようにしたものである。
【００１４】
【発明の実施の形態】
以下、この発明の実施の形態を図面と共に説明する。
実施の形態１.
図１はこの発明の実施の形態１を示すもので、図において、２０１はデジタルチューナ部、２０２はＴＳ（transport stream）ストリーム切替えスイッチ部、２０３はデマルチプレクサ部、２０４はＭＰＥＧ音声デコーダ部、２０５はＭＰＥＧ映像デコーダ部、２０６はグラフィック表示部、２０７はＨＤＤ記録再生処理部、２０８はＨＤＤ記録装置、２０９はマイクロプロセッサ部、２１０は電子番組案内データ処理手段、２１１はデコード処理制御手段、２１２は番組記録再生処理シーケンス決定手段であり、マイクロプロセッサ部上で動作するソフトウエア２１３として構成されている。２１４は番組情報削除部、２１５は番組情報選別部、２１６は番組情報付加部である。
【００１５】
上記の構成による実施の形態１の動作について説明する。まず、映像データを記録する場合の動作について説明する。放送信号（ＲＦ信号）をアンテナで受信し、デジタルチューナ部２０１で復調を行い所定のストリームを獲得する。このストリームをマイクロプロセッサ部２０９の指令でＴＳストリーム切替えスイッチ部２０２で下流のデコーダ部にいたる経路に接続するか、蓄積（記録）のためのＨＤＤ記録装置２０８にいたる経路に接続するかを選択する。記録の場合は、ＨＤＤ記録装置２０８にいたる経路に接続され、記録すべきＴＳのストリームデータから番組情報削除部２１４で番組情報のトランスポートストリームの１８８バイトパケットを削除する。
【００１６】
次に、番組情報が削除されたＴＳストリームデータがＨＤＤ記録再生処理部２０７によりＨＤＤ記録装置２０８のディスク媒体に記録される。従来のパーソナルコンピュータに使用されているＨＤＤはデータの記録の管理をＯＳの内部のソフトウエアが行っていたが、映像データを記録する場合連続したデータを高速にＨＤＤに記録する必要があるため、ハードウエアを主体に構成された記録再生処理部２０７が高速に処理をおこない、ＨＤＤに直接書き込む。記録再生処理部２０７の動作はマイクロプロセッサ部２０９上で実行されるソフトウエア手段である番組記録再生処理シーケンス決定手段で決定される。
【００１７】
次に、映像データをＨＤＤ記録装置２０８から再生する場合の動作について説明する。番組記録再生処理シーケンス決定手段２１２で再生手順が決定され、ＨＤＤ記録再生処理部で選択された所定のストリームが読み出される。このストリームデータはＴＳストリーム切り替えスイッチ部２０２を経由して番組情報選別部２１５で取り出された現在放送中の番組情報を番組付加部２１６でＨＤＤからの再生ストリームに付加してデマルチプレクサ部２０３に入力される。現在放送中の番組情報が付加された再生ストリームはデマルチプレクサ部２０３で映像と音声のストリームと番組情報データに分解され、それぞれＭＰＥＧ映像デコータ２０５とＭＰＥＧ音声デコータ２０４でデコードされる。デコードはマイクロプロセッサ部２０９上で実行されるデコード処理制御手段２１１で制御されながら動作する。一方番組情報はマイクロプロセッサ部２０９上で実行される電子番組案内データ処理手段２１０において処理され、番組表の形式などに変換されてグラフィック表示部２０６により画像化されＭＰＥＧ映像デコータ２０５の出力と合成されてビデオ信号となりテレビに出力される。
【００１８】
実施の形態２．
図２は本発明の実施の形態２を示すもので、実施の形態１のＨＤＤ記録再生処理部２０７を詳細化した構成であって、データ制御部２１７、記録部２１８、２倍以上の速度でデータ読み出しを行う可変速再生部２１９からＨＤＤ記録再生処理部は成り立っている。
【００１９】
実施の形態３．
図３は本発明の実施の形態３を示すもので、実施の形態１のＨＤＤ記録再生処理部２０７を詳細化した他の構成であって、データ制御部２１７、記録部２１８、倍速再生部２２０からＨＤＤ記録再生処理部は成り立っている。
【００２０】
記録再生される状態を概念的に示したものが、図４、図５である。ＨＤＤ記録装置２０８に記録されるトランスポートストリームのデータ列は１つのパケットが１８８バイトの単位となったデータ列であり、パケット間には間隙が存在している。まず新しい番組情報を挿入する領域を確保するため、ＨＤＤ記録装置から読み出す速度を２倍にする。すると、１パケットのデータ列は半分の時間で読み出すことが出来、トランスポートストリームの全体のビットレートを一定にすれば、パケットの到着時間は変化せずパケットとパケットの間隙を空けることが出来る。この仕組みを利用して、図５に示すようにストリームデータパケットから番組情報のパケットを削除してＨＤＤ記録装置２０８に記録する。この（１８８バイト）パケットを倍速で間欠的に読み出し、「番組情報を削除した間隙と倍速読み出しにより発生した間隙」（すなわち読み出したストリームのパケット間隙）に現在放送中の番組情報を番組情報選別部２１５で取り出し、番組情報付加部で２分の１に時間圧縮して挿入する。
なお、実施の形態２のように、ストリームデータのパケットを２倍以上の速度、例えば、２. ５倍、３倍、４倍等で間欠的に読み出し、読み出したストリームのパケット間隙に現在放送中の番組情報を時間圧縮して挿入してもよい。
【００２１】
実施の形態４．
図６は本発明の実施の形態４を示すもので、図において、２０１はデジタルチューナ部、２０２はＴＳストリーム切替えスイッチ部、２０３はデマルチプレクサ部、２０４はＭＰＥＧ音声デコーダ部、２０５はＭＰＥＧ映像デコーダ部、２０６はグラフィック表示部、２０７はＨＤＤ記録再生処理部であり、データ制御部２１７、記録部２１８、再生部２２２から成る、２０８はＨＤＤ記録装置、２０９はマイクロプロセッサ部、２１０は電子番組案内データ処理手段、２１１はデコード処理制御手段、２１２は番組記録再生処理シーケンス決定手段であり、マイクロプロセッサ部上で動作するソフトウエア２１３として構成されている。２１４は番組情報削除部、２１５は番組情報選別部、２１６は番組情報付加部である。
【００２２】
次に上記の構成による実施の形態４の動作について説明する。図７は記録・再生される状態を概念的に示しており、動作としては上記構成で番組情報を削除しＨＤＤ記録装置２０８に記録する。これを記録と同じ速度で再生し、パケットを削除した間隙と、全体のストリームの中に含まれる空パケットと現在放送中の番組情報のパケットを置き換えて再生することで、実施の形態１〜３と同じ効果を生ずる。また、同じ速度で再生するので、簡便である。
【００２３】
実施の形態５．
図８はこの発明の実施の形態５を示すもので、図において、２０１はデジタルチューナ部、２０２はＴＳストリーム切替えスイッチ部、２０３はデマルチプレクサ部、２０４はＭＰＥＧ音声デコーダ部、２０５はＭＰＥＧ映像デコーダ部、２０６はグラフィック表示部、２０７はＨＤＤ記録再生処理部であり、データ制御部２１７、記録部２１８、倍速再生部２２０から成る、２０８はＨＤＤ記録装置、２０９はマイクロプロセッサ部、２１０は電子番組案内データ処理手段、２１１はデコード処理制御手段、２１２は番組記録再生処理シーケンス決定手段であり、マイクロプロセッサ部上で動作するソフトウエア２１３として構成されている。２２１は番組情報無効マーク付加部、２１５は番組情報選別部、２１６は番組情報付加部である。
【００２４】
次に上記の構成による実施の形態５の動作について説明する。図９は記録・再生される状態を概念的に示しており、動作としては上記構成において、番組情報無効マーク付加部２２１で番組情報のパケットにデータの無効を示すマークを付加する。これにより得たストリームデータを、データ制御部２１７によりＨＤＤ記録装置２０８に記録する。再生時にストリームデータのパケットを倍速再生部２２０で２倍の速度で間欠的に読み出し、読み出したストリームのパケット間隙に現在実時間で放送されている番組情報を番組情報選別部２１５で取り出し、番組情報付加部で２分の１に時間圧縮して付加する。なお、空パケットにも番組情報を番組情報選別部で取り出し、番組情報付加部で２分の１に時間圧縮して付加しても良い。実施例５の場合も、実施の形態１〜４と同じ効果を生ずる。
【００２５】
【発明の効果】
本発明によれば、アンテナからの放送信号を復調しストリームを得るデジタルチューナ部と、ＴＳ多重されたストリームを分配するデマルチプレクサ部と、これより信号を受けるＭＰＥＧ音声デコーダ部と、ＭＰＥＧ映像デコーダ部と、グラフィック表示部と、これらを制御するマイクロプロセッサ部とを有するデジタル放送受信機において、上記デジタルチューナ部より出力されたＴＳの流れを、上記デコーダ部にいたる経路か記録にいたる経路かに切り替えるＴＳストリーム切替えスイッチ部と、番組情報削除部と、番組情報選別部と、番組情報付加部と、ＨＤＤ記録装置と、このＨＤＤ記録装置へデータ書き込みを行うと共に、１倍以上の速度でデータ読み出しを行うＨＤＤ記録再生処理部とを備え、上記番組情報削除部で番組情報が削除されたストリームデータを、記録時に上記ＨＤＤ記録再生処理部により上記ＨＤＤ記録装置に記録し、再生時にストリームデータのパケットを１倍以上の速度で読み出し、読み出したストリームのパケット間隙又は空パケットに現在実時間で放送されている番組情報を上記番組情報選別部で取り出し、上記番組情報付加部で付加するようにしたので、媒体からの再生状態においても現在放送中のデジタル放送信号の番組情報を取得することができる。
【００２６】
また、本発明によれば、アンテナからの放送信号を復調しストリームを得るデジタルチューナ部と、ＴＳ多重されたストリームを分配するデマルチプレクサ部と、これより信号を受けるＭＰＥＧ音声デコーダ部と、ＭＰＥＧ映像デコーダ部と、グラフィック表示部と、これらを制御するマイクロプロセッサ部とを有するデジタル放送受信機において、上記デジタルチューナ部より出力されたＴＳの流れを、上記デコーダ部にいたる経路か記録にいたる経路かに切り替えるＴＳストリーム切替えスイッチ部と、番組情報無効マーク付加部と、番組情報選別部と、番組情報付加部と、ＨＤＤ記録装置と、このＨＤＤ記録装置へデータ書き込みを行うと共に、２倍以上の速度でデータ読み出しを行うＨＤＤ記録再生処理部とを備え、上記番組情報無効マーク付加部で番組情報のパケットにデータの無効を示すマークを付加したストリームデータを、記録時に上記ＨＤＤ記録再生処理部により上記ＨＤＤ記録装置に記録し、再生時にストリームデータのパケットを２倍以上の速度で間欠的に読み出し、読み出したストリームのパケット間隙又は空パケットに、現在実時間で放送されている番組情報を上記番組情報選別部で取り出し、上記番組情報付加部で時間圧縮して付加するようにしたので、媒体からの再生状態においても現在放送中のデジタル放送信号の番組情報を取得することができる。
【図面の簡単な説明】
【図１】  本発明の実施の形態１におけるデジタル放送受信機の構成を示すブロック図である。
【図２】  本発明の実施の形態２におけるデジタル放送受信機の主要部の構成を示すブロック図である。
【図３】  本発明の実施の形態３におけるデジタル放送受信機の主要部の構成を示すブロック図である。
【図４】  本発明の実施の形態３によるデジタル放送受信機の動作を説明する図である。
【図５】  本発明の実施の形態３によるデジタル放送受信機の動作を説明する図である。
【図６】  本発明の実施の形態４におけるデジタル放送受信機の構成を示すブロック図である。
【図７】  本発明の実施の形態４によるデジタル放送受信機の動作を説明する図である。
【図８】  本発明の実施の形態５におけるデジタル放送受信機の構成を示すブロック図である。
【図９】  本発明の実施の形態５によるデジタル放送受信機の動作を説明する図である。
【図１０】  従来のデジタル放送受信システムの構成を示すブロック図である。
【符号の説明】
２０１  デジタルチューナ部      ２０２  ＴＳストリーム切替えスイッチ部
２０３  デマルチプレクサ部      ２０４  ＭＰＥＧ音声デコーダ部
２０５  ＭＰＥＧ映像デコーダ部  ２０６  グラフィック表示部
２０７  ＨＤＤ記録再生処理部    ２０８  ＨＤＤ記録装置
２０９  マイクロプロセッサ部    ２１０  電子番組案内データ処理手段
２１１  デコード処理制御手段
２１２  番組記録再生処理シーケンス決定手段
２１３  マイクロプロセッサ部上で動作するソフトウエア
２１４  番組情報削除部          ２１５  番組情報選別部
２１６  番組情報付加部          ２１７  データ制御部
２１８  記録部                  ２１９  可変速再生部
２２０  倍速再生部              ２２１  番組情報無効マーク付加部
【図１】
0004245107.tif 000002
【図２】
0004245107.tif 000003
【図３】
0004245107.tif 000004
【図４】
0004245107.tif 000005
【図５】
0004245107.tif 000006
【図６】
0004245107.tif 000007
【図７】
0004245107.tif 000008
【図８】
0004245107.tif 000009
【図９】
0004245107.tif 000010
【図１０】
0004245107.tif 000011